(57)【要約】【課題】追焚用加熱部の腐食及び損傷を防止できながら、適切に微細気泡運転を行うことができる風呂装置の提供。【解決手段】浴槽１内の湯水を循環させる循環路２と、循環路２にて循環される湯水に気体を溶解させる気体溶解部３ａ、及び、気体が溶解した水を用いて微細気泡を発生させる発泡部８を備えた微細気泡発生部３と、循環路２にて循環される湯水を加熱する追焚用加熱部４と、気体溶解部３ａにて湯水に気体を溶解させ且つ発泡部８にて微細気泡を発生させる状態で循環路２にて湯水を循環させる微細気泡運転、及び、追焚用加熱部４にて湯水を加熱する状態で循環路２にて湯水を循環させる追焚運転を実行可能な運転制御手段５と、循環路２の湯水循環方向において追焚用加熱部４よりも上流側において、追焚用加熱部４に対する微細気泡の流入を防止する微細気泡流入防止手段２２とが設けられている。【選択図】図１
2008045793.tif 000002
【特許請求の範囲】
【請求項１】
浴槽内の湯水を循環させる循環路と、
前記循環路にて循環される湯水に気体を溶解させる気体溶解部、及び、気体が溶解した水を用いて微細気泡を発生させる発泡部を備えた微細気泡発生部と、
前記循環路にて循環される湯水を加熱する追焚用加熱部と、
前記気体溶解部にて湯水に気体を溶解させ且つ前記発泡部にて微細気泡を発生させる状態で前記循環路にて湯水を循環させる微細気泡運転、及び、前記追焚用加熱部にて湯水を加熱する状態で前記循環路にて湯水を循環させる追焚運転を実行可能な運転制御手段とが設けられている風呂装置であって、
前記追焚用加熱部に対する微細気泡の流入を防止する微細気泡流入防止手段が設けられている風呂装置。
【請求項２】
前記気体溶解部が、加圧ポンプを備えて構成され、
前記追焚用加熱部が、前記湯水循環方向において前記気体溶解部よりも上流側に配置されている請求項１に記載の風呂装置。
【請求項３】
前記微細気泡流入防止手段が、前記追焚用加熱部をバイパスさせる状態で前記循環路に接続されたバイパス路、及び、前記循環路と前記バイパス路との接続箇所において前記循環路にて循環される湯水を前記追焚用加熱部に供給する供給状態と前記循環路にて循環される湯水を前記バイパス路に供給するバイパス状態とに切換自在な切換手段にて構成され、
前記運転制御手段が、前記微細気泡運転中は前記切換手段をバイパス状態に切り換え、且つ、前記追焚運転中は前記切換手段を供給状態に切り換えるべく、前記切換手段の作動を制御するように構成されている請求項１又は２に記載の風呂装置。
【請求項４】
前記微細気泡流入防止手段が、前記微細気泡運転の終了後設定時間が経過するまでの間は、前記追焚運転の開始指令があるか否かにかかわらず、前記追焚運転の実行を禁止するように構成されている請求項１〜３の何れか１項に記載の風呂装置。
【請求項５】
前記微細気泡運転の終了後設定時間が経過するまでの間に前記追焚運転の開始指令があると、前記循環路に接続された給湯用供給路にて温水を浴槽内に供給する給湯部が設けられている請求項４に記載の風呂装置。
【請求項６】
前記微細気泡流入防止手段が、前記追焚用加熱部に流入する湯水から微細気泡を除去する微細気泡除去手段にて構成されている請求項１又は２に記載の風呂装置。
【請求項７】
前記気体溶解部において前記循環路に気体を導入する気体導入路に対して前記微細気泡除去手段にて除去された除去気体を供給する除去気体供給手段が設けられている請求項６に記載の風呂装置。
【請求項８】
前記微細気泡流入防止手段が、加圧ポンプ、前記湯水循環方向の前記加圧ポンプよりも上流側において前記循環路に気体を導入する気体導入路、及び、前記湯水循環方向の前記加圧ポンプよりも下流側において前記循環路の湯水から気体を抜く気体抜弁にて構成されている請求項１に記載の風呂装置。
【請求項９】
前記気体溶解部が、前記加圧ポンプ、前記気体導入路、及び、前記気体抜弁を備えて構成され、
前記追焚用加熱部が、前記湯水循環方向において前記気体溶解部よりも下流側で且つ前記発泡部よりも上流側に配置されている請求項８に記載の風呂装置。
【発明の詳細な説明】
【技術分野】
【０００１】
本発明は、浴槽内の湯水を循環させる循環路と、前記循環路にて循環される湯水に気体を溶解させる気体溶解部、及び、気体が溶解した水を用いて微細気泡を発生させる発泡部を備えた微細気泡発生部と、前記循環路にて循環される湯水を加熱する追焚用加熱部と、前記気体溶解部にて湯水に気体を溶解させ且つ前記発泡部にて微細気泡を発生させる状態で前記循環路にて湯水を循環させる微細気泡運転、及び、前記追焚用加熱部にて湯水を加熱する状態で前記循環路にて湯水を循環させる追焚運転を実行可能な運転制御手段とが設けられている風呂装置に関する。
【背景技術】
【０００２】
上記のような風呂装置は、運転制御手段が微細気泡運転を実行することにより、浴槽内で微細気泡を発生させることができ、運転制御手段が追焚運転を実行することにより浴槽内の湯水の昇温をすることができるものである。そして、浴槽内に微細気泡を発生させることによって、例えば、汚れを落す洗浄効果や入浴後の保温効果を得ることができ、入浴者の快適性を向上することができる。
【０００３】
上記従来の風呂装置では、気体溶解部が、吸引作用によって循環路にて循環される湯水に空気導入路からの空気を導入させるエジェクタ、及び、その導入される空気を湯水に加圧溶解させる加圧ポンプを備えて構成され、発泡部が、空気が溶解された湯水を減圧して浴槽内に噴出させる減圧部にて構成され、追焚用加熱部が、バーナの燃焼により循環路にて循環される湯水を加熱する追焚用熱交換器を備えて構成されている（例えば、特許文献１参照。）。
【０００４】
上記特許文献１では、循環路における追焚用熱交換器と気体溶解部との位置関係が異なる下記の２つの風呂装置が開示されている。
１つ目の風呂装置は、循環路の湯水循環方向において追焚用熱交換器が気体溶解部よりも下流側に位置する状態で、追焚用熱交換器と発泡部である減圧部とが並列となるように配設されている。
２つ目の風呂装置は、循環路の湯水循環方向において追焚用熱交換器が気体溶解部よりも上流側に位置する状態で追焚用熱交換器と気体溶解部とが直列に配設されている。
【０００５】
【特許文献１】特許第３２８９４２６号公報
【発明の開示】
【発明が解決しようとする課題】
【０００６】
上記のような風呂装置においては、追焚用加熱部における追焚用熱交換器の途中部分及び湯水を通流させる管の曲がり部分や接続部分などの特定箇所に気泡が溜まり易いので、微細気泡が追焚用熱交換器に流入すると、その特定箇所に気泡が繰り返し溜まることになる。
そして、特定箇所では、気泡がつぶれたときの衝撃力などにより局所的に応力がかかるので、特定箇所で腐食が発生する虞がある。また、特定箇所では、追焚用熱交換器にて湯水を加熱すると、滞留している気泡によって局所的に高温となり、特定箇所が損傷する虞がある。
【０００７】
以上のことから、追焚用熱交換器における腐食や損傷を防止するためには、微細気泡が追焚用熱交換器に流入することを防止することが必要である。しかしながら、上記従来の風呂装置では、追焚用熱交換器に微細気泡が流入する虞がある。説明すると、上記１つ目の風呂装置では、運転制御手段が追焚運転を実行すると、浴槽内の湯水が追焚用熱交換器を通過する状態で循環路にて循環される。したがって、例えば、微細気泡運転を行った後など浴槽内や循環路に微細気泡が残存しているときに追焚運転を行うと、微細気泡が追焚用熱交換器に流入することになる。また、上記２つ目の風呂装置では、追焚用熱交換器と気体溶解部とが直列に配設されているので、微細気泡運転を行うと、浴槽内や循環路に存在する微細気泡が追焚用熱交換器に流入することになる。
【０００８】
本発明は、かかる点に着目してなされたものであり、その目的は、追焚用加熱部の腐食及び損傷を防止できながら、適切に微細気泡運転を行うことができる風呂装置を提供する点にある。
【課題を解決するための手段】
【０００９】
この目的を達成するために、本発明にかかる風呂装置の第１特徴構成は、浴槽内の湯水を循環させる循環路と、前記循環路にて循環される湯水に気体を溶解させる気体溶解部、及び、気体が溶解した水を用いて微細気泡を発生させる発泡部を備えた微細気泡発生部と、前記循環路にて循環される湯水を加熱する追焚用加熱部と、前記気体溶解部にて湯水に気体を溶解させ且つ前記発泡部にて微細気泡を発生させる状態で前記循環路にて湯水を循環させる微細気泡運転、及び、前記追焚用加熱部にて湯水を加熱する状態で前記循環路にて湯水を循環させる追焚運転を実行可能な運転制御手段とが設けられている風呂装置において、
前記追焚用加熱部に対する微細気泡の流入を防止する微細気泡流入防止手段が設けられている点にある。
【００１０】
前記微細気泡流入防止手段は、微細気泡が追焚用加熱部に流入するのを防止することができる。したがって、微細気泡が追焚用加熱部へ流入する可能性があるときには、微細気泡流入防止手段にて追焚用加熱部への微細気泡の流入を防止できることになり、追焚用加熱部の腐食及び損傷を防止することができながら、適切に微細気泡運転を行うことができる風呂装置を提供できるに至った。
【００１１】
本発明にかかる風呂装置の第２特徴構成は、前記気体溶解部が、加圧ポンプを備えて構成され、前記追焚用加熱部が、前記湯水循環方向において前記気体溶解部よりも上流側に配置されている点にある。
【００１２】
前記気体溶解部は、加圧ポンプにより循環路にて循環される湯水に対して気体を加圧溶解させることができるので、湯水に対する気体の溶解を的確に行うことができ、発泡部にて的確に微細気泡を発生させることができることになる。
前記加圧ポンプの加圧により湯水循環方向において気体溶解部よりも下流側は、高圧の湯水が通流することになる。したがって、気体溶解部よりも下流側では、高圧に耐えるだけの高い強度が求められることになる。しかしながら、追焚用加熱部を気体溶解部よりも湯水循環方向の上流側に配置しているので、追焚用加熱部に求められる強度が高いものとならず、構成の簡素化及びコストの低減を図ることができる。
【００１３】
本発明にかかる風呂装置の第３特徴構成は、前記微細気泡流入防止手段が、前記追焚用加熱部をバイパスさせる状態で前記循環路に接続されたバイパス路、及び、前記循環路と前記バイパス路との接続箇所において前記循環路にて循環される湯水を前記追焚用加熱部に供給する供給状態と前記循環路にて循環される湯水を前記バイパス路に供給するバイパス状態とに切換自在な切換手段にて構成され、前記運転制御手段が、前記微細気泡運転中は前記切換手段をバイパス状態に切り換え、且つ、前記追焚運転中は前記切換手段を供給状態に切り換えるべく、前記切換手段の作動を制御するように構成されている点にある。
【００１４】
前記切換手段がバイパス状態に切り換えられると、湯水はバイパス路を通過する状態で循環路にて循環されることになり、湯水は追焚用加熱部を通過しないことになる。
前記微細気泡運転中においては、運転制御手段が切換手段をバイパス状態に切り換えるので、浴槽内や循環路に微細気泡が存在していても、その微細気泡が追焚用加熱部に流入するのを防止できる。
前記追焚運転中においては、運転制御手段が切換手段を供給状態に切り換えるので、浴槽内の湯水が追焚用加熱部を通過する状態で循環路にて循環されて、浴槽内の湯水の昇温を的確に行うことができる。
ちなみに、微細気泡が追焚用加熱部に流入する可能性があるときには、運転制御手段が切換手段をバイパス状態に切り換えておくこともでき、微細気泡の追焚用加熱部への流入を的確に防止できることになる。
【００１５】
本発明にかかる風呂装置の第４特徴構成は、前記微細気泡流入防止手段が、前記微細気泡運転の終了後設定時間が経過するまでの間は、前記追焚運転の開始指令があるか否かにかかわらず、前記追焚運転の実行を禁止するように構成されている点にある。
【００１６】
前記微細気泡運転を行った後には、浴槽内や循環路に微細気泡が残存している可能性があるので、このときに追焚運転を行うと、微細気泡が追焚用加熱部に流入する虞がある。そこで、微細気泡流入防止手段は、微細気泡運転の終了後設定時間が経過するまでの間は、追焚運転の実行を禁止することによって、微細気泡の追焚用加熱部への流入を防止できる。つまり、浴槽内や循環路に残存する微細気泡は、時間経過に伴って消滅していくので、微細気泡運転の終了後設定時間が経過することにより、浴槽内や循環路に残存している微細気泡を消滅させることができ、微細気泡の追焚用加熱部への流入を防止できる。
【００１７】
本発明にかかる風呂装置の第５特徴構成は、前記微細気泡運転の終了後設定時間が経過するまでの間に前記追焚運転の開始指令があると、前記循環路に接続された給湯用供給路にて温水を浴槽内に供給する給湯部が設けられている点にある。
【００１８】
上記第４特徴構成で述べた如く、微細気泡の追焚用加熱部への流入を防止するために、微細気泡運転の終了後設定時間が経過するまでの間は、追焚運転の実行を禁止すると、その間は浴槽内の湯水の昇温を図ることができないことになる。そこで、循環路に接続された給湯用供給路にて温水を浴槽内に供給する給湯部を設け、微細気泡運転の終了後設定時間が経過するまでの間に追焚運転の開始指令があると、追焚運転を行う代わりに、その給湯部による温水の供給によって浴槽内の湯水の昇温を図ることができる。そして、微細気泡運転の終了後設定時間が経過して残存する微細気泡が消滅すると、追焚運転を実行できることになる。このように、追焚運転の実行により浴槽内の湯水の昇温を図りながら、追焚運転の実行によって微細気泡が追焚用加熱部へ流入する可能性があるときには、給湯部による温水の供給により浴槽内の湯水の昇温を図ることができる。したがって、微細気泡の追焚用加熱部への流入を防止しながら、浴槽内の湯水の昇温を適切に図ることができる。
【００１９】
本発明にかかる風呂装置の第６特徴構成は、前記微細気泡流入防止手段が、前記追焚用加熱部に流入する湯水から微細気泡を除去する微細気泡除去手段にて構成されている点にある。
【００２０】
前記微細気泡除去手段は、追焚用加熱部に流入する湯水に微細気泡が存在すると、その微細気泡を除去することができるので、微細気泡の追焚用加熱部への流入を的確に防止することができる。この微細気泡除去手段を設けることによって、追焚用加熱部に流入する湯水に存在する微細気泡を常時除去することができ、微細気泡の追焚用加熱部への流入の防止を的確に且つより確実に行えることになる。
【００２１】
本発明にかかる風呂装置の第７特徴構成は、前記気体溶解部において前記循環路に気体を導入する気体導入路に対して前記微細気泡除去手段にて除去された除去気体を供給する除去気体供給手段が設けられている点にある。
【００２２】
前記気体導入路は、循環路に気体を導入するので、気体導入路から循環路に気体を導入するように吸引作用を作用させることになる。そして、除去気体供給手段が、微細気泡除去手段にて除去された除去気体を気体導入路に供給するので、その除去気体も吸引作用を受け、除去気体供給手段による除去気体の気体導入路への供給を促進することになる。したがって、微細気泡除去手段による微細気泡の除去を促進させることができることとなって、微細気泡の追焚用加熱部への流入の防止を的確に且つより確実に行えることになる。
【００２３】
本発明にかかる風呂装置の第８特徴構成は、前記微細気泡流入防止手段が、加圧ポンプ、前記湯水循環方向の前記加圧ポンプよりも上流側において前記循環路に気体を導入する気体導入路、及び、前記湯水循環方向の前記加圧ポンプよりも下流側において前記循環路の湯水から気体を抜く気体抜弁にて構成されている点にある。
【００２４】
前記循環路を通流する湯水に微細気泡が存在するときに、気体導入路にて循環路に気体を導入すると、その気体と微細気泡とが結合して大きな気泡となる。この気体と微細気泡との結合は、加圧ポンプの作動により促進させることができ、湯水に存在していた微細気泡は加圧ポンプを通過することにより大きな気泡となる。そして、気体抜弁は、加圧ポンプを通過した湯水に存在する大きな気泡を抜くことができる。したがって、気体導入路にて気体を循環路に導入しながら、加圧ポンプを作動させることによって、循環路を通流する湯水に存在する微細気泡を大きな泡として、その大きな泡を除去することができることになる。このように、微細気泡を大きな泡として除去することにより、微細気泡が除去された湯水を追焚用加熱部に流入させることができ、追焚用加熱部に対する微細気泡の流入を防止することができる。
【００２５】
本発明にかかる風呂装置の第９特徴構成は、前記気体溶解部が、前記加圧ポンプ、前記気体導入路、及び、前記気体抜弁を備えて構成され、前記追焚用加熱部が、前記湯水循環方向において前記気体溶解部よりも下流側で且つ前記発泡部よりも上流側に配置されている点にある。
【００２６】
前記気体溶解部が、加圧ポンプ、気体導入路、及び、気体抜弁を備えているので、気体溶解部を上記第８特徴構成で述べた微細気泡流入防止手段として作用させることができる。したがって、気体溶解部にて微細気泡流入防止手段を兼用することができ、構成の簡素化を図ることができる。また、追焚用加熱部が、微細気泡流入防止手段として作用する気体溶解部よりも湯水循環方向の下流側で且つ発泡部よりも湯水循環方向の上流側に配置されているので、微細気泡を気体溶解部にて除去する状態で追焚用加熱部に湯水を流入させることができる。したがって、気体溶解部、追焚用加熱部、発泡部の順に通過する状態で浴槽内の湯水を循環させることにより、浴槽内の湯水の昇温を行うことができながら、浴槽内で微細気泡を発生させることができる。
【発明を実施するための最良の形態】
【００２７】
本発明にかかる風呂装置の実施形態について図面に基づいて説明する。
〔第１実施形態〕
この第１実施形態における風呂装置Ｆは、浴槽１内の湯水を循環させる循環路２と、循環路２にて循環される湯水に気体としての空気を溶解させる気体溶解部３ａ及び空気が溶解した水を用いて微細気泡を発生させる発泡部としての減圧弁８を備えた微細気泡発生部３と、循環路２にて循環される湯水を加熱する追焚用加熱部４と、風呂装置Ｆの運転を制御する運転制御手段５とを備えて構成されている。
【００２８】
前記循環路２は、浴槽１内の湯水を気体溶解部３ａに供給する往路２ａと減圧弁８を通過した湯水を浴槽１内に戻す復路２ｂとから構成されている。そして、追焚用加熱部４は、循環路２の往路２ａに設けられ、循環路２の湯水循環方向において気体溶解部３ａよりも上流側に配置されている。
【００２９】
前記気体溶解部３ａは、循環路２に空気を導入する気体導入路６、循環路２を流通する湯水を加圧するとともに、気体導入路６から導入される空気をその加圧する湯水に溶解させる加圧ポンプ７を備えて構成されている。前記減圧弁８は、空気が溶解された湯水を減圧して微細気泡を発生するように構成されている。そして、加圧ポンプ７は、例えば、吸引口から吸引した液体を羽根車の回転に伴う遠心作用により昇圧して吐出口から吐出する渦流ポンプにて構成されている。また、加圧ポンプ７は、吐出する流体の圧力を調整可能な低圧モード、中圧モード、高圧モードの３つのモードを備え、３つのモードのうち、選択された何れかのモードにて作動するように構成されている。
【００３０】
前記気体導入路６には、その上流側から順に、空気流量を調整する空気流量調整弁９、エアポンプ１０、空気逆止弁１１が設けられている。
前記加圧ポンプ７には、吐出口から吐出する湯水から未溶解空気を分離させる分離部１２、及び、その分離部１２にて分離された空気を排気する空気抜弁１３が備えられている。また、加圧ポンプ７には、機器の気密試験を行う際に、空気が空気抜弁１３から漏れるのを防ぐために、気密試験用弁１４も備えられている。
前記加圧ポンプ７と減圧弁８との間の循環路２には、湯水の圧力を検出する圧力センサ１５が設けられている。そして、減圧弁８をバイパスする状態で循環路２に接続された減圧用バイパス路１６には、減圧用バイパス路１６を開閉する減圧用開閉弁１７が設けられている。
【００３１】
前記追焚用加熱部４は、追焚用バーナ１８の燃焼により湯水を加熱する追焚用熱交換器１９を備えて構成されている。追焚用加熱部４の出口部には、追焚用加熱部４を通過した湯水の温度を検出する温度センサ２０が設けられている。そして、運転制御手段５が、追焚用バーナ１８の燃焼を制御することにより、追焚用熱交換器１９にて加熱される湯水の温度を変更可能に構成されている。
【００３２】
前記循環路２の湯水循環方向において追焚用加熱部４よりも上流側において、追焚用加熱部４に流入する湯水から微細気泡を除去する微細気泡除去手段としての微細気泡除去部２１が設けられている。この微細気泡除去部２１は、追焚用加熱部４に対する微細気泡の流入を防止する微細気泡流入防止手段２２として構成されている。
前記微細気泡除去部２１は、流路面積が小さい細い管にて形成された細管流路２３、その細管流路２３を通流した湯水から気体を分離する気液分離部２４、及び、気液分離部２４にて分離された気体を排気する微細気泡抜弁２５を備えて構成されている。
前記微細気泡を含む湯水は、細管流路２３を通流する際に微細気泡同士が結合して大きな気泡となり、気液分離部２４にて湯水からその気泡が分離され、微細気泡抜弁２５により排気することにより、追焚用加熱部４に流入する湯水から微細気泡などの気体を多く含む湯水が除去される。
【００３３】
前記微細気泡抜弁２５にて排気される微細気泡などの除去気体を多く含む湯水は、外部に排気するのではなく、その除去気体を気体導入路６に供給する除去気体供給手段としての除去気体供給路２６が設けられている。そして、除去気体供給路２６には、除去気体用逆止弁２７が設けられている。
このようにして、微細気泡除去部２１にて除去した除去気体を多く含む湯水を気体導入路６にて循環路２を循環する湯水に導入できるように構成されている。
【００３４】
また、循環路２には、微細気泡除去部２１をバイパスさせる除去用バイパス路２８が設けられている。この除去用バイパス路２８を開閉する除去用開閉弁２９が設けられている。
【００３５】
前記循環路２に接続された給湯用供給路３０にて温水を浴槽１内に供給する給湯部３１が設けられている。この給湯部３１は、給水される水を加熱する給湯用加熱部３２を備え、その給湯用加熱部３２にて加熱された温水を給湯用供給路３０にて循環路２に供給することにより浴槽１内に供給するように構成されている。
前記給湯用供給路３０は、その途中部にて第１給湯用供給路３０ａと第２給湯用供給路３０ｂとに分岐されている。前記第１給湯用供給路３０ａは、循環路２の復路２ｂにおいて減圧弁８よりも湯水循環方向の下流側に接続されている。この第１給湯用供給路３０ａを開閉する第１給湯弁３３が設けられている。前記第２給湯用供給路３０ｂは、循環路２の往路２ａにおいて加圧ポンプ７よりも湯水循環方向の上流側である追焚用加熱部４と気体溶解部３ａとの間に接続されている。この第２給湯用供給路３０ｂには、浴槽１内の湯水の水位を検出する水位センサ３４が設けられている。
また、給湯用供給路３０において第１給湯用供給路３０ａと第２給湯用供給路３０ｂとの分岐箇所よりも上流側には、給湯用供給路３０を開閉する第２給湯弁３５、給湯逆止弁３６が設けられている。
【００３６】
前記給湯用加熱部３２は、図示を省略するが、追焚用加熱部４と同様に、給湯用バーナの燃焼により湯水を加熱する給湯用熱交換器を備えて構成されている。そして、運転制御手段５が、給湯用バーナの燃焼を制御することにより、給湯用熱交換器にて加熱する湯水の温度を変更可能に構成されている。
【００３７】
前記運転制御手段５は、圧力センサ１５の検出情報、温度センサ２０の検出情報、及び、水位センサ３４の検出情報が入力されるように構成されている。そして、運転制御手段５は、加圧ポンプ７の作動状態、減圧弁８の作動状態、空気流量調整弁９の作動状態、エアポンプ１０の作動状態、減圧用開閉弁１７の作動状態、追焚用バーナ１８の燃焼、除去用開閉弁２９の作動状態、給湯用加熱部３２における給湯用バーナの燃焼、第１給湯弁３３の作動状態、第２給湯弁３５の作動状態を制御して、風呂装置Ｆの運転を制御するように構成されている。
【００３８】
前記運転制御手段５は、気体溶解部３ａにて湯水に空気を溶解させ且つ減圧弁８にて微細気泡を発生させる状態で循環路２にて湯水を循環させる微細気泡運転、及び、追焚用加熱部４にて湯水を加熱する状態で循環路２にて湯水を循環させる追焚運転を実行可能に構成されている。
また、運転制御手段５は、微細気泡運転から追焚運転に切り換えるとき及び微細気泡運転の終了後設定時間（例えば、５分）が経過するまでの間に追焚運転を行うときには、微細気泡の追焚用加熱部４への流入を防止しながら、追焚用加熱部４にて湯水を加熱する状態で循環路２にて湯水を循環させる微細気泡流入防止用追焚運転を行うように構成されている。
【００３９】
前記微細気泡運転における動作について説明する。
前記運転制御手段５は、微細気泡運転の開始指令があると、微細気泡運転を開始して、微細気泡運転の終了指令があると、微細気泡運転を終了するように構成されている。ちなみに、微細気泡運転の開始指令及び終了指令は、例えば、人為操作式の操作部にて指令されるように構成されている。
【００４０】
前記運転制御手段５は、図１中白抜き矢印で示すように、除去用開閉弁２９を閉状態、減圧弁８を全開状態、減圧用開閉弁１７を閉状態として、加圧ポンプ７を高圧モードにて作動させて、微細気泡除去部２１、追焚用加熱部４、気体溶解部３ａ、減圧弁８の順に通過させる状態で循環路２にて浴槽１内の湯水を循環させるように構成されている。このとき、追焚用加熱部４の追焚用バーナ１８は消火状態としている。そして、運転制御手段５は、図１中黒塗り矢印で示すように、空気流量調整弁９を開状態としてエアポンプ１０を作動させて、気体導入路６にて循環路２に空気を導入するとともに、加圧ポンプ７での溶存酸素濃度及び流速が目標状態となるように、空気流量調整弁９の作動状態、エアポンプ１０の作動状態、及び、加圧ポンプ７の作動状態を制御するように構成されている。また、運転制御手段５は、圧力センサ１５による検出圧力が設定圧力となるように、減圧弁８を閉状態に移行させる形態で減圧弁８の作動状態を制御するように構成されている。
【００４１】
前記追焚用熱交換器１９に流入する湯水は、微細気泡除去部２１にて微細気泡が除去されるので、微細気泡が追焚用熱交換器１９へ流入するのを防止できる。そして、微細気泡除去部２１にて除去された除去気体は、図１中黒塗り矢印で示すように、除去気体供給路２６にて気体導入路６に供給されて気体導入路６にて循環路２に導入される。このとき、エアポンプ１０を作動させているので、気体導入路６が減圧状態となり、除去気体供給路２６に対して吸引作用が生じることになる。したがって、微細気泡除去部２１での微細気泡の除去を促進させることができるので、微細気泡除去部２１での微細気泡の除去を効果的に行うことができ、微細気泡が追焚用熱交換器１９へ流入するのをより的確に防止できる。
【００４２】
前記追焚運転における動作について説明する。
前記運転制御手段５は、追焚運転の開始指令があると、追焚運転を開始して、追焚運転の終了指令があると、追焚運転を終了するように構成されている。ちなみに、追焚運転の開始指令及び終了指令も、例えば、人為操作式の操作部にて指令されるように構成されている。
【００４３】
前記運転制御手段５は、図２中白抜き矢印で示すように、除去用開閉弁２９を開状態、減圧弁８を全開状態、減圧用開閉弁１７を開状態として、加圧ポンプ７を低圧モードにて作動させて、追焚用加熱部４、気体溶解部３ａの順に通過させる状態で循環路２にて浴槽１内の湯水を循環させるように構成されている。そして、運転制御手段５は、追焚用バーナ１８の燃焼を開始して、温度センサ２０にて検出される温度が追焚用設定温度となるように、追焚用バーナ１８の燃焼を制御するように構成されている。このとき、空気流量調整弁９は全閉状態とし、エアポンプ１０は停止状態としている。
【００４４】
前記微細気泡流入防止用追焚運転における動作について説明する。
前記運転制御手段５は、微細気泡運転の終了後設定時間（例えば、５分）が経過するまでの間に追焚運転の開始指令があると、微細気泡流入防止用追焚運転を開始して、追焚運転の終了指令があると、微細気泡流入防止用追焚運転を終了するように構成されている。
【００４５】
前記運転制御手段５は、図３中白抜き矢印で示すように、除去用開閉弁２９を閉状態、減圧弁８を全開状態、減圧用開閉弁１７を開状態として、加圧ポンプ７を中圧モードにて作動させて、微細気泡除去部２１、追焚用加熱部４、気体溶解部３ａの順に通過させる状態で循環路２にて浴槽１内の湯水を循環させるように構成されている。そして、運転制御手段５は、追焚用バーナ１８の燃焼を開始して、温度センサ２０にて検出される温度が追焚用設定温度となるように、追焚用バーナ１８の燃焼を制御するように構成されている。このとき、運転制御手段５は、空気流量調整弁９を全閉状態として、エアポンプ１０を作動させるように構成されている。
前記追焚用熱交換器１９に流入する湯水は、微細気泡運転と同様に、微細気泡除去部２１にて微細気泡が除去されるので、微細気泡が追焚用熱交換器１９へ流入するのを防止できる。そして、微細気泡除去部２１にて除去された除去気体は、図３中黒塗り矢印で示すように、除去気体供給路２６にて気体導入路６に供給されて気体導入路６にて循環路２に導入される。このとき、エアポンプ１０の作動によって、微細気泡除去部２１での微細気泡の除去を促進させることができ、微細気泡が追焚用熱交換器１９へ流入するのをより的確に防止できる。
【００４６】
前記追焚運転から微細気泡運転へ切り換えるときの動作を、図４のタイムチャートに基づいて説明する。ちなみに、追焚運転中に微細気泡運転の開始指令があると、追焚運転から微細気泡運転へ切り換える。
前記運転制御手段５は、追焚運転中、追焚用バーナ１８を燃焼させて、除去用開閉弁２９を開状態、減圧弁８を全開状態、減圧用開閉弁１７を開状態として、加圧ポンプ７を低圧モードにて作動させている。その後、微細気泡運転の開始指令が指令されると、運転制御手段５は、追焚用バーナ１８の燃焼を停止させて追焚運転を終了するが、温度センサ２０の検出温度が切換用設定温度（例えば、４５℃）まで下がるまでは微細気泡運転を行わない。前記運転制御手段５は、温度センサ２０の検出温度が切換用設定温度（例えば、４５℃）まで下がると、除去用開閉弁２９を閉状態に切り換えて微細気泡運転を開始する。そして、運転制御手段５は、減圧用開閉弁１７を閉状態として、加圧ポンプ７を高圧モードにて作動させて、減圧弁８を閉状態に移行させる形態で減圧弁８の作動状態を制御し、エアポンプ１０を作動させ且つ空気流量調整弁９を開状態としてその作動状態を制御する。
【００４７】
前記微細気泡運転から微細気泡流入防止用追焚運転へ切り換えるときの動作を、図５のタイムチャートに基づいて説明する。ちなみに、微細気泡運転中に追焚運転の開始指令があると、微細気泡運転から微細気泡流入防止用追焚運転に切り換える。
前記運転制御手段５は、微細気泡運転中、除去用開閉弁２９を閉状態、減圧用開閉弁１７を閉状態として、加圧ポンプ７を高圧モードにて作動させている。その後、追焚運転の開始指令が指令されると、運転制御手段５が、除去用開閉弁２９を閉状態にしたままで且つエアポンプ１０を作動させたままで、空気流量調整弁９を開状態にてその作動状態を制御している状態から全閉状態に切り換えて、微細気泡運転を終了して微細気泡流入防止用追焚運転を開始する。そして、運転制御手段５は、減圧弁８を全開状態に切り換えて減圧用開閉弁１７を開状態に切り換え、加圧ポンプ７を中圧モードにて作動させて追焚用バーナ１８を燃焼させる。
【００４８】
前記運転制御手段５は、微細気泡運転、追焚運転、微細気泡流入防止用追焚運転の他に、給湯用供給路３０及び循環路２にて浴槽１内に温水を供給する温水供給運転を実行可能に構成されている。
この温水供給運転では、運転制御手段５が、まず、第２給湯弁３５を開状態として、第２給湯用供給路３０ｂにて循環路２や加圧ポンプ７などに少量の温水を供給して、この温水を加圧ポンプ７の呼び水として用いる。ちなみに、第２給湯用供給路３０ｂと循環路２との接続箇所を加圧ポンプ７よりも上方に設置することが望ましい。
そして、運転制御手段５が、第１給湯弁３３及び第２給湯弁３５を開状態として、第１給湯用供給路３０ａ及び第２給湯用供給路３０ｂから循環路２を介して浴槽１内に温水を供給するように構成されている。そして、運転制御手段５は、水位センサ３４の検出水位が設定水位になるまで、温水供給運転を継続し、水位センサ３４の検出水位が設定水位になると、第１給湯弁３３及び第２給湯弁３５を閉状態として温水供給運転を終了して、浴槽１への湯張りを行うようにしている。
【００４９】
〔第２実施形態〕
この第２実施形態は、上記第１実施形態における微細気泡流入防止手段２２の別実施形態を示すものである。以下、図６〜図９に基づいて、第２実施形態における風呂装置Ｆについて説明する。上記第１実施形態と同様の構成については、説明を省略する。
【００５０】
前記循環路２の往路２ａは、図６及び図７に示すように、浴槽１内の湯水を追焚用加熱部４に供給するように構成され、且つ、循環路２の復路２ｂは、追焚用加熱部４から浴槽１内に湯水を戻すように構成されている。前記循環路２の往路２ａには、浴槽１内の湯水を循環路２にて循環させる追焚用ポンプ３７が設けられている。
そして、追焚用加熱部４をバイパスさせる状態で循環路２に接続されたバイパス路としての追焚用バイパス路３８が設けられている。この追焚用バイパス路３８の上流側端部は、循環路２の往路２ａにおいて追焚用ポンプ３８よりも湯水循環方向の上流側に接続され、且つ、追焚用バイパス路３８の下流側端部は、循環路２の復路２ｂにおいて温度センサ２０よりも湯水循環方向の下流側に接続されている。そして、追焚用バイパス路３８は、その経路中に気体溶解部３ａ及び減圧弁８が配置されており、循環路２からの湯水を気体溶解部３ａに供給し、減圧弁８を通過した湯水を循環路２に戻すように構成されている。
【００５１】
前記追焚用バイパス路３８の上流側端部と循環路２との接続箇所には、循環路２の往路２ａの湯水を追焚用加熱部４に供給する供給状態と循環路２の往路２ａの湯水を追焚用バイパス路３８に供給するバイパス状態とに切換自在な第１三方弁３９が設けられている。
前記追焚用バイパス路３８の下流側端部と循環路２との接続箇所には、追焚用加熱部４を通過した湯水を循環路２の復路２ｂにて浴槽１に戻す供給戻し状態と追焚用バイパス路３８を通過した湯水を循環路２の復路２ｂにて浴槽１に戻すバイパス戻し状態とに切換自在な第２三方弁４０が設けられている。
そして、第１三方弁３９と第２三方弁４０とから切換手段が構成され、微細気泡流入防止手段２２が、追焚用バイパス路３８、第１三方弁３９及び第２三方弁４０により構成され、循環路２の湯水循環方向において追焚用加熱部４よりも上流側において、微細気泡の追焚用加熱部４への流入を防止している。
【００５２】
前記運転制御手段５は、微細気泡運転中は第１三方弁３９をバイパス状態に且つ第２三方弁４０をバイパス戻し状態に切り換え、且つ、追焚運転中は第１三方弁３９を供給状態に且つ第２三方弁４０を供給戻し状態に切り換えるべく、第１三方弁３９及び第２三方弁４０の作動を制御するように構成されている。
【００５３】
前記微細気泡運転における動作について説明する。
前記運転制御手段５は、図６中白抜き矢印で示すように、第１三方弁３９をバイパス状態に且つ第２三方弁４０をバイパス戻し状態として、加圧ポンプ７を作動させて、気体溶解部３ａ及び減圧弁８を通過させる状態で循環路２及び追焚用バイパス路３８にて浴槽１内の湯水を循環させるように構成されている。そして、運転制御手段５は、図６中黒塗り矢印で示すように、空気流量調整弁９を開状態としてエアポンプ１０を作動させて、気体導入路６にて循環路２に空気を導入するとともに、加圧ポンプ７での溶存酸素濃度及び流速が目標状態となるように、空気流量調整弁９の作動状態、エアポンプ１０の作動状態、及び、加圧ポンプ７の作動状態を制御するように構成されている。また、運転制御手段５は、圧力センサ１５による検出圧力が設定圧力となるように、減圧弁８を閉状態に移行させる形態で減圧弁８の作動状態を制御するように構成されている。このとき、追焚用ポンプ３７を停止状態とし、追焚用加熱部４の追焚用バーナ１８は消火状態としている。
この微細気泡運転では、追焚用熱交換器１９への湯水の流入自体が防止されるので、微細気泡が追焚用熱交換器１９へ流入するのを防止できる。
【００５４】
前記追焚運転における動作について説明する。
前記運転制御手段５は、図７中白抜き矢印で示すように、第１三方弁３９を供給状態に且つ第２三方弁４０を供給戻し状態として、追焚用ポンプ３７を作動させて、追焚用加熱部４を通過させる状態で循環路２にて浴槽１内の湯水を循環させるように構成されている。そして、運転制御手段５は、追焚用バーナ１８の燃焼を開始して、温度センサ２０にて検出される温度が追焚用設定温度となるように、追焚用バーナ１８の燃焼を制御するように構成されている。このとき、空気流量調整弁９は全閉状態とし、加圧ポンプ７及びエアポンプ１０は停止状態としている。
【００５５】
前記運転制御手段５は、微細気泡運転の終了後設定時間（例えば、５分）が経過するまでの間は、追焚運転の開始指令があるか否かにかかわらず、追焚運転の実行を禁止するように構成されている。
前記微細気泡運転の終了後は、浴槽１内や循環路２に微細気泡が残存している可能性があるので、その微細気泡が消滅するまでの設定時間（例えば、５分）は、追焚運転の実行を禁止する。このようにして、微細気泡の追焚用熱交換器１９への流入を防止している。
【００５６】
前記追焚運転から微細気泡運転へ切り換えるときの動作を、図８のタイムチャートに基づいて説明する。
前記運転制御手段５は、追焚運転中、追焚用バーナ１８を燃焼させて、第１三方弁３９を供給状態に且つ第２三方弁４０を供給戻し状態として、追焚用ポンプ３７を作動させている。その後、微細気泡運転の開始指令が指令されると、運転制御手段５は、追焚用バーナ１８の燃焼を停止させて追焚運転を終了するが、温度センサ２０の検出温度が切換用設定温度（例えば、４５℃）まで下がるまでは微細気泡運転を行わない。前記運転制御手段５は、温度センサ２０の検出温度が切換用設定温度（例えば、４５℃）まで下がると、追焚用ポンプ３７を作動停止させて微細気泡運転を開始する。そして、運転制御手段５は、第１三方弁３９をバイパス状態に且つ第２三方弁４０をバイパス戻し状態に切り換えて加圧ポンプ７を作動させ、減圧弁８を閉状態に移行させる形態で減圧弁８の作動状態を制御し、エアポンプ１０を作動させ且つ空気流量調整弁９を開状態としてその作動状態を制御する。
【００５７】
前記微細気泡運転から追焚運転へ切り換えるときの動作を、図９のタイムチャートに基づいて説明する。
前記運転制御手段５は、微細気泡運転中、第１三方弁３９をバイパス状態に且つ第２三方弁４０をバイパス戻し状態として、加圧ポンプ７及びエアポンプ１０を作動させ、且つ、空気流量調整弁９を開状態にてその作動状態を制御している。その後、追焚運転の開始指令が指令されると、運転制御手段５が、エアポンプ１０を作動停止させて空気流量調整弁９を全閉状態に切り換え、減圧弁８を全開状態に切り換えて加圧ポンプ７を作動停止させて微細気泡運転を終了する。そして、運転制御手段５は、微細気泡運転の終了後設定時間（例えば、５分）が経過するまでは、微細気泡運転を終了した状態を維持して追焚運転の実行を禁止する。前記運転制御手段５は、微細気泡運転の終了後設定時間（例えば、５分）が経過すると、第１三方弁３９を供給状態に且つ第２三方弁４０を供給戻し状態に切り換えて追焚運転を開始する。そして、運転制御手段５は、追焚用ポンプ３７を作動させて、追焚用バーナ１８を燃焼させる。
【００５８】
上述の如く、運転制御手段５は、微細気泡運転の終了後設定時間（例えば、５分）が経過するまでの間は、追焚運転の実行を禁止するので、微細気泡運転の終了後設定時間（例えば、５分）が経過するまでの間は、浴槽１内の湯水の昇温を行えないことになる。
そこで、図６及び図７に示すように、微細気泡運転の終了後設定時間（例えば、５分）が経過するまでの間に追焚運転の開始指令があると、循環路２に接続された給湯用供給路３０にて温水を浴槽１内に供給する給湯部３１を設けている。
前記給湯用供給路３０の第１給湯用供給路３０ａは、循環路２において追焚用熱交換器１９よりも湯水循環方向の下流側に接続されている。前記給湯用供給路３０の第２給湯用供給路３０ｂは、循環路２において追焚用ポンプ３７と追焚用熱交換器１９との間に接続されている。
そして、運転制御手段５は、微細気泡運転の終了後設定時間（例えば、５分）が経過するまでの間に追焚運転の開始指令があると、給湯部３１により給湯用供給路３０及び循環路２にて浴槽１内に温水を供給する温水供給運転を実行して浴槽１内の湯水の昇温を行う。ちなみに、運転制御手段５は、この温水供給運転中に微細気泡運転の終了後設定時間（例えば、５分）が経過すると、温水供給運転から追焚運転に切り換えるように構成されている。
【００５９】
〔第３実施形態〕
この第３実施形態は、上記第１実施形態における微細気泡流入防止手段２２の別実施形態を示すものである。以下、図１０及び図１１に基づいて、第３実施形態における風呂装置Ｆについて説明する。上記第１実施形態と同様の構成については、説明を省略する。
【００６０】
前記循環路２の往路２ａは、図１０及び図１１に示すように、浴槽１内の湯水を追焚用加熱部４を通過させて気体溶解部３ａに供給するように構成され、且つ、循環路２の復路２ｂは、減圧弁８又は減圧用開閉弁１７を通過した湯水を浴槽１内に戻すように構成されている。
そして、追焚用加熱部４をバイパスさせる状態で循環路２に接続されたバイパス路としての追焚用バイパス路３８が設けられている。この追焚用バイパス路３８の上流側端部は、循環路２の往路２ａにおいて追焚用熱交換器１９よりも湯水循環方向の上流側に接続され、且つ、追焚用バイパス路３８の下流側端部は、循環路２の往路２ａにおいて温度センサ２０よりも湯水循環方向の下流側に接続されている。そして、追焚用バイパス路３８は、循環路２からの湯水を追焚用熱交換器１９をバイパスさせて気体溶解部３ａに供給するように構成されている。
【００６１】
前記追焚用バイパス路３８の上流側端部と循環路２との接続箇所には、循環路２の往路２ａの湯水を追焚用加熱部４に供給する供給状態と循環路２の往路２ａの湯水を追焚用バイパス路３８に供給するバイパス状態とに切換自在な第１三方弁３９が設けられている。
そして、第１三方弁３９にて切換手段が構成され、微細気泡流入防止手段２２が、追焚用バイパス路３８及び第１三方弁３９により構成され、循環路２の湯水循環方向において追焚用加熱部４よりも上流側において、微細気泡の追焚用加熱部４への流入を防止している。
【００６２】
前記運転制御手段５は、微細気泡運転中は第１三方弁３９をバイパス状態に切り換え、且つ、追焚運転中は第１三方弁３９を供給状態に切り換えるべく、第１三方弁３９の作動を制御するように構成されている。
【００６３】
前記微細気泡運転における動作について説明する。
前記運転制御手段５は、図１０中白抜き矢印で示すように、第１三方弁３９をバイパス状態として、加圧ポンプ７を作動させて、気体溶解部３ａ及び減圧弁８を通過させる状態で循環路２及び追焚用バイパス路３８にて浴槽１内の湯水を循環させるように構成されている。そして、運転制御手段５は、図１０中黒塗り矢印で示すように、空気流量調整弁９を開状態としてエアポンプ１０を作動させて、気体導入路６にて循環路２に空気を導入するとともに、加圧ポンプ７での溶存酸素濃度及び流速が目標状態となるように、空気流量調整弁９の作動状態、エアポンプ１０の作動状態、及び、加圧ポンプ７の作動状態を制御するように構成されている。また、運転制御手段５は、圧力センサ１５による検出圧力が設定圧力となるように、減圧弁８を閉状態に移行させる形態で減圧弁８の作動状態を制御するように構成されている。このとき、追焚用加熱部４の追焚用バーナ１８は消火状態としている。
この微細気泡運転では、追焚用熱交換器１９への湯水の流入自体が防止されるので、微細気泡が追焚用熱交換器１９へ流入するのを防止できる。
【００６４】
前記追焚運転における動作について説明する。
前記運転制御手段５は、図１１中白抜き矢印で示すように、第１三方弁３９を供給状態として、加圧ポンプ７を作動させて、追焚用加熱部４、気体溶解部３ａの順に通過させる状態で循環路２にて浴槽１内の湯水を循環させるように構成されている。そして、運転制御手段５は、追焚用バーナ１８の燃焼を開始して、温度センサ２０にて検出される温度が追焚用設定温度となるように、追焚用バーナ１８の燃焼を制御するように構成されている。このとき、空気流量調整弁９は全閉状態とし、エアポンプ１０は停止状態としている。
【００６５】
前記運転制御手段５は、上記第２実施形態と同様に、微細気泡運転の終了後設定時間（例えば、５分）が経過するまでの間は、追焚運転の開始指令があるか否かにかかわらず、追焚運転の実行を禁止するように構成されている。
そして、運転制御手段５が微細気泡運転から追焚運転へ切り換えるときの動作及び追焚運転から微細気泡運転へ切り換えるときの動作についても、上記第２実施形態と同様であるので、詳細な説明は省略する。追焚運転から微細気泡運転へ切り換えるときには、追焚運転を終了させた後に温度センサ２０の検出温度が切換用設定温度（例えば、４５℃）まで下がると、微細気泡運転を開始する。微細気泡運転から追焚運転に切り換えるときには、微細気泡運転を終了させた後設定時間（例えば、５分）が経過するまでは追焚運転の実行を禁止し、微細気泡運転を終了させた後設定時間（例えば、５分）が経過すると、追焚運転を実行する。
【００６６】
また、微細気泡運転を終了させた後設定時間（例えば、５分）が経過するまでの間に追焚運転の開始指令がある場合についても、上記第２実施形態と同様であり、運転制御手段５は、微細気泡運転の終了後設定時間（例えば、５分）が経過するまでの間に追焚運転の開始指令があると、温水供給運転を実行して浴槽１内の湯水の昇温を行う。
【００６７】
〔第４実施形態〕
この第４実施形態は、上記第１実施形態における微細気泡流入防止手段２２の別実施形態を示すものである。以下、図１２〜図１６に基づいて、第４実施形態における風呂装置Ｆについて説明する。上記第１実施形態と同様の構成については、説明を省略する。
【００６８】
前記循環路２の往路２ａは、図１２〜図１４に示すように、浴槽１内の湯水を気体溶解部３ａを通過させる状態で追焚用加熱部４に供給するように構成され、且つ、循環路２の復路２ｂは、追焚用加熱部４から浴槽１内に湯水を戻すように構成されている。このように、追焚用加熱部４が、循環路２の湯水循環方向において気体溶解部３ａよりも下流側で且つ減圧弁８よりも上流側に配置されている。
前記循環路２の往路２ａには、湯水循環方向において追焚用加熱部４よりも上流側に第１開閉弁４１が設けられている。そして、追焚用加熱部４をバイパスさせる状態で循環路２に接続された第１バイパス路４２が設けられている。この第１バイパス路４２には第２開閉弁４３が設けられている。
【００６９】
前記微細気泡流入防止手段２２は、加圧ポンプ７、湯水循環方向の加圧ポンプ７よりも上流側において循環路２に気体を導入する気体導入路６、及び、湯水循環方向の加圧ポンプ７よりも下流側で且つ追焚用加熱部４よりも上流側において循環路２の湯水から気体を抜く気体抜弁としての空気抜弁１３にて構成されている。ちなみに、空気抜弁１３は、例えば、分離部１２の水位を検出してその水位が設定水位となると開弁して分離部１２の上方に貯留された空気を排出するフロート式に構成されている。
そして、気体溶解部３ａは、加圧ポンプ７、気体導入路６、及び、空気抜弁１３を備えているので、気体溶解部３ａを微細気泡流入防止手段２２として作用させることができる。
【００７０】
前記循環路２を通流する湯水や浴槽１内の湯水に微細気泡が存在するときに、気体導入路６にて循環路２に空気を導入すると、その空気と微細気泡とが結合して大きな気泡となる。この空気と微細気泡との結合は、加圧ポンプ７の作動により促進させることができ、湯水に存在していた微細気泡は加圧ポンプ７を通過することにより大きな気泡となる。そして、空気抜弁１３は、分離部１２にて分離された空気を自動的に循環路２から排気するので、加圧ポンプ７を通過した湯水に存在する大きな気泡を循環路２から抜くことができる。このようにして、循環路２を通流する湯水や浴槽１内の湯水に存在する微細気泡を大きな泡として、その大きな泡を空気抜弁１３にて除去することができ、追焚用加熱部４に対する微細気泡の流入を防止することができる。
【００７１】
前記運転制御手段５は、第１実施形態と同様に、微細気泡運転、追焚運転、及び、微細気泡流入防止用追焚運転を実行可能に構成されている。
前記微細気泡運転における動作について説明する。
前記運転制御手段５は、図１２中白抜き矢印で示すように、第１開閉弁４１を閉状態、第２開閉弁４３を開状態、減圧弁８を全開状態、減圧用開閉弁１７を閉状態として、加圧ポンプ７を高圧モードにて作動させて、気体溶解部３ａ及び減圧弁８を通過させる状態で循環路２にて浴槽１内の湯水を循環させるように構成されている。このとき、追焚用バーナ１８は消火状態としている。そして、運転制御手段５は、図１２中黒塗り矢印で示すように、空気流量調整弁９を開状態としてエアポンプ１０を作動させて、気体導入路６にて循環路２に空気を導入するとともに、加圧ポンプ７での溶存酸素濃度及び流速が目標状態となるように、空気流量調整弁９の作動状態、エアポンプ１０の作動状態、及び、加圧ポンプ７の作動状態を制御するように構成されている。また、運転制御手段５は、圧力センサ１５による検出圧力が設定圧力となるように、減圧弁８を閉状態に移動させる形態で減圧弁８の作動状態を制御するように構成されている。
この微細気泡運転では、追焚用熱交換器１９への湯水の流入自体が防止されるので、微細気泡が追焚用熱交換器１９へ流入するのを防止できる。
【００７２】
前記追焚運転における動作について説明する。
前記運転制御手段５は、図１３中白抜き矢印で示すように、第１開閉弁４１を開状態、第２開閉弁４３を閉状態、減圧弁８を全開状態、減圧用開閉弁１７を開状態として、加圧ポンプ７を低圧モードにて作動させて、気体溶解部３ａ、追焚用加熱部４の順に通過させる状態で循環路２にて浴槽１内の湯水を循環させるように構成されている。そして、運転制御手段５は、追焚用バーナ１８の燃焼を開始して、温度センサ２０にて検出される温度が追焚用設定温度となるように、追焚用バーナ１８の燃焼を制御するように構成されている。このとき、空気流量調整弁９は全閉状態とし、エアポンプ１０は停止状態としている。
【００７３】
前記微細気泡流入防止用追焚運転における動作について説明する。
前記運転制御手段５は、図１４中白抜き矢印で示すように、第１開閉弁４１を閉状態、第２開閉弁４３を開状態、減圧弁８を全開状態、減圧用開閉弁１７を開状態として、加圧ポンプ７を中圧モードにて作動させて、気体溶解部３ａを通過させる状態で循環路２にて浴槽１内の湯水を循環させるように構成されている。そして、運転制御手段５は、図１４中黒塗り矢印で示すように、空気流量調整弁９を開状態としてエアポンプ１０を作動させて、気体導入路６にて循環路２に空気を導入するとともに、加圧ポンプ７も作動させる。このように、気体導入路６にて循環路２に空気を導入しながら、加圧ポンプ７を作動させることにより、気体溶解部３ａを微細気泡流入防止手段２２として作用させて、微細気泡を大きな泡として、その大きな泡を空気抜弁１３にて除去することができる。その後、運転制御手段５は、図１４中斜線付き矢印で示すように、第１開閉弁４１を開状態に且つ第２開閉弁４３を閉状態に切り換えて、追焚用熱交換器１９に湯水を通過させ、追焚用バーナ１８の燃焼を開始して、温度センサ２０にて検出される温度が追焚用設定温度となるように、追焚用バーナ１８の燃焼を制御するように構成されている。
ちなみに、第１開閉弁４１を開状態に且つ第２開閉弁４３を閉状態に切り換えるタイミングについては、加圧ポンプ７よりも湯水循環方向の下流側に残存していた湯水を浴槽１内に戻して、加圧ポンプ７よりも湯水循環方向の下流側の湯水が加圧ポンプ７を通過した湯水となった後、第１開閉弁４１を開状態に且つ第２開閉弁４３を閉状態に切り換えるのが好ましい。このようにすると、加圧ポンプ７よりも湯水循環方向の下流側に残存していた湯水に存在する微細気泡をも追焚用熱交換器１９に流入するのを防止することができる。
【００７４】
この第４実施形態では、気体溶解部３ａを微細気泡流入防止手段２２として作用させることができるので、運転制御手段５が、気体導入路６にて循環路２に空気を導入しながら、加圧ポンプ７を作動させることにより、循環路２や浴槽１内の湯水に存在する微細気泡を消滅させる消泡運転を実行可能に構成されている。
この消泡運転の実行については、例えば、消泡運転の開始指令があると、消泡運転を開始して、その開始から消泡運転用設定時間が経過すると又は消泡運転の終了指令があると、消泡運転を終了するように構成されている。
【００７５】
前記消泡運転における動作について説明する。
前記運転制御手段５は、図１５中白抜き矢印で示すように、第１開閉弁４１を閉状態、第２開閉弁４３を開状態、減圧弁８を全開状態、減圧用開閉弁１７を開状態として、加圧ポンプ７を中圧モードにて作動させて、気体溶解部３ａを通過させる状態で循環路２にて浴槽１内の湯水を循環させるように構成されている。そして、運転制御手段５は、図１５中黒塗り矢印で示すように、空気流量調整弁９を開状態としてエアポンプ１０を作動させて、気体導入路６にて循環路２に空気を導入するとともに、加圧ポンプ７も作動させる。このように、気体導入路６にて循環路２に空気を導入しながら、加圧ポンプ７を作動させることにより、気体溶解部３ａを微細気泡流入防止手段２２として作用させて、微細気泡を大きな泡として、その大きな泡を空気抜弁１３にて除去して微細気泡を消滅させることができる。
【００７６】
前記微細気泡運転から微細気泡流入防止用追焚運転へ切り換えるときの動作を、図１６のタイムチャートに基づいて説明する。
前記運転制御手段５は、微細気泡運転中、第１開閉弁４１を閉状態、第２開閉弁４３を開状態、減圧弁８を閉状態で制御し、減圧用開閉弁１７を閉状態として、加圧ポンプ７を高圧モードにて作動させている。その後、追焚運転の開始指令が指令されると、運転制御手段５が、空気流量調整弁９を開状態にしたままで且つエアポンプ１０を作動させたままで、減圧弁８を全開状態として微細気泡運転から微細気泡流入防止用追焚運転に切り換える。そして、運転制御手段５は、減圧用開閉弁１７を開状態とし、加圧ポンプ７を中圧モードにて作動させて、微細気泡を大きな泡とし、その大きな泡を空気抜弁１３にて除去するようにしている。その後、運転制御手段５は、第１開閉弁４１を開状態に切り換え、第２開閉弁４３を閉状態に切り換えたのち、追焚用バーナ１８を燃焼させる。
【００７７】
〔別実施形態〕
（１）上記第１及び第４実施形態では、運転制御手段５が、微細気泡運転から追焚運転に切り換えるとき及び微細気泡運転の終了後設定時間が経過するまでの間に追焚運転を行うときに、微細気泡流入防止用追焚運転を実行するようにしているが、どのようなときに微細気泡流入防止用追焚運転を実行するかは適宜変更が可能である。
例えば、追焚運転を行う前に微細気泡運転を行っているときなど、追焚運転を行うと、微細気泡が追焚用加熱部４に流入する可能性があるときには、微細気泡流入防止用追焚運転を実行することもできる。
【００７８】
（２）上記第１及び第４実施形態では、浴槽１内の湯水の昇温か、微細気泡を発生させるかの何れか一方を行うようにしているが、微細気泡を発生させながら、浴槽１内の湯水の昇温を行うこともできる。
【００７９】
上記第１実施形態では、微細気泡除去部２１にて微細気泡を除去することができるので、微細気泡を発生させてもその微細気泡を微細気泡除去部２１にて除去させる状態で追焚用熱交換器１９に湯水を流入させることができることになる。微細気泡を発生させながら、浴槽１内の湯水の昇温を行う場合には、運転制御手段５が、微細気泡流入防止用追焚運転を行うとともに、空気流量調整弁９を開状態としてエアポンプ１０を作動させて、気体導入路６にて循環路２に空気を導入するとともに、加圧ポンプ７での溶存酸素濃度及び流速が目標状態となるように、空気流量調整弁９の作動状態、エアポンプ１０の作動状態、及び、加圧ポンプ７の作動状態を制御する。また、運転制御手段５が、圧力センサ１５による検出圧力が設定圧力となるように、減圧弁８を閉状態に移行させる形態で減圧弁８の作動状態を制御する。このようにして、微細気泡を発生させながら、浴槽１内の湯水の昇温を行うことができる。
【００８０】
上記第４実施形態では、気体導入路６から空気を導入しながら、加圧ポンプ７を作動させることにより、微細気泡を大きな泡としてその大きな泡を空気抜弁１３にて除去することができるので、微細気泡を発生させてもその微細気泡を大きな泡として空気抜弁１３にて除去させる状態で追焚用熱交換器１９に湯水を流入させることができることになる。微細気泡を発生させながら、浴槽１内の湯水の昇温を行う場合には、運転制御手段５が、微細気泡流入防止用追焚運転を行うとともに、加圧ポンプ７での溶存酸素濃度及び流速が目標状態となるように、空気流量調整弁９の作動状態、エアポンプ１０の作動状態、及び、加圧ポンプ７の作動状態を制御する。また、運転制御手段５が、圧力センサ１５による検出圧力が設定圧力となるように、減圧弁８を閉状態に移行させる形態で減圧弁８の作動状態を制御する。このようにして、微細気泡を発生させながら、浴槽１内の湯水の昇温を行うことができる。
【００８１】
（３）上記第１実施形態では、微細気泡除去部２１が、細管流路２３、気液分離部２４、及び、微細気泡抜弁２５を備えて構成しているが、微細気泡除去部は微細気泡を除去できるものであればよく、その他各種の構成を適応することができる。
【００８２】
（４）上記第１実施形態では、微細気泡流入防止手段２２が微細気泡除去部２１から構成されている例を示し、上記第２及び第３実施形態では、微細気泡流入防止手段２２が追焚用バイパス路３８と第１三方弁３９や第２三方弁４０の切換手段から構成されている例を示し、上記第４実施形態では、微細気泡流入防止手段２２が、加圧ポンプ７、気体導入路６、及び、空気抜弁１３にて構成されている例を示したが、微細気泡流入防止手段を、微細気泡運転の終了後設定時間が経過するまでの間は、追焚運転の開始指令があるか否かにかかわらず、追焚運転の実行を禁止するように構成することもできる。
【００８３】
（５）上記第１〜４実施形態では、循環路２に接続された給湯用供給路３０にて温水を浴槽１内に供給する給湯部３１を設けているが、この給湯部３１を設けずに実施することもできる。
【００８４】
（６）上記第１〜３実施形態では、追焚用加熱部４を湯水循環方向において気体溶解部３ａよりも上流側に配置しているが、追焚用加熱部４を湯水循環方向において気体溶解部３ａよりも下流側に配置して実施することもできる。
【００８５】
（７）上記第４実施形態では、運転制御手段５が、微細気泡運転、追焚運転、微細気泡流入防止用追焚運転、消泡運転を実行可能に構成しているが、消泡運転を実行しないように構成することもできる。又は、微細気泡流入防止用追焚運転を実行しないように構成するとともに、微細気泡運転を行った後に追焚運転を行うときには、常に、消泡運転を行ったのち、追焚運転を行うように構成することもできる。
【００８６】
（８）上記第４実施形態では、追焚用加熱部４をバイパスさせる状態で循環路２に接続された第１バイパス路４２を設けて、追焚用加熱部４をバイパスさせる状態で循環路２にて浴槽１内の湯水を循環させることができるようにしているが、第１バイパス路４２を設けずに、常時、追焚用加熱部４を通過させる状態で循環路２にて浴槽１内の湯水を循環させるようにしてもよい。
【図面の簡単な説明】
【００８７】
【図１】第１実施形態における風呂装置の微細気泡運転での構成図
【図２】第１実施形態における風呂装置の追焚運転での構成図
【図３】第１実施形態における風呂装置の微細気泡流入防止用追焚運転での構成図
【図４】追焚運転から微細気泡運転に切り換えるときの動作を示すタイムチャート
【図５】微細気泡運転から微細気泡流入防止用追焚運転に切り換えるときの動作を示すタイムチャート
【図６】第２実施形態における風呂装置の微細気泡運転での構成図
【図７】第２実施形態における風呂装置の追焚運転での構成図
【図８】追焚運転から微細気泡運転に切り換えるときの動作を示すタイムチャート
【図９】微細気泡運転から追焚運転に切り換えるときの動作を示すタイムチャート
【図１０】第３実施形態における風呂装置の微細気泡運転での構成図
【図１１】第３実施形態における風呂装置の追焚運転での構成図
【図１２】第４実施形態における風呂装置の微細気泡運転での構成図
【図１３】第４実施形態における風呂装置の追焚運転での構成図
【図１４】第４実施形態における風呂装置の微細気泡流入防止用追焚運転での構成図
【図１５】第４実施形態における風呂装置の消泡運転での構成図
【図１６】微細気泡運転から微細気泡流入防止用追焚運転に切り換えるときの動作を示すタイムチャート
【符号の説明】
【００８８】
１          浴槽
２          循環路
３          微細気泡発生部
３ａ        気体溶解部
４          追焚用加熱部
５          運転制御手段
６          気体導入路
７          加圧ポンプ
８          発泡部（減圧弁）
１３        気体抜弁（空気抜弁）
２１        微細気泡除去部
２２        微細気泡流入防止手段
２６        除去気体供給手段（除去気体供給路）
３０        給湯用供給路
３１        給湯部
３８        バイパス路（追焚用バイパス路）
３９        切換手段（第１三方弁）
４０        切換手段（第２三方弁）
【図１】
2008045793.tif 000003
【図２】
2008045793.tif 000004
【図３】
2008045793.tif 000005
【図４】
2008045793.tif 000006
【図５】
2008045793.tif 000007
【図６】
2008045793.tif 000008
【図７】
2008045793.tif 000009
【図８】
2008045793.tif 000010
【図９】
2008045793.tif 000011
【図１０】
2008045793.tif 000012
【図１１】
2008045793.tif 000013
【図１２】
2008045793.tif 000014
【図１３】
2008045793.tif 000015
【図１４】
2008045793.tif 000016
【図１５】
2008045793.tif 000017
【図１６】
2008045793.tif 000018